(57)【要約】 【課題】  工事現場での弁筐の長さ（高さ）調整を楽に行うことができると共に、蓋受枠上面のＧＬとの位置合わせ並びに設置後の嵩上げ、嵩下げ工事を現行のねじ式弁筐より遙かに迅速且つ楽に行うことができる水道用ねじ式弁筐を提供することができ、しかもユンボ等の吊り上げ機具を用いずに搬送及び設置作業を楽に行うことができる水道用ねじ式弁筐を提供する。【解決手段】鋳物製の下部筐体１と、硬質塩化ビニール製の中間筐体２と、蓋受枠部４を備えた鋳物製のねじ筐体３とから構成する。また、ねじ筐体３は内面に雌ねじを設けた雌ねじ筐体３ａと外面下部に雄ねじを設けた雄ねじ筐体３ｂとからなり、ねじ山のピッチを大きくすると共に、雌ねじ筐体３ａの上端に雨水、土砂の侵入防止用のパッキン材７を設ける。【選択図】図１
2019002171.tif 000002
【特許請求の範囲】
【請求項１】
鋳物製の下部筐体と、プラスチック製の中間筐体と、蓋受枠部を備えた鋳物製のねじ筐体とから成り、ねじ筐体は内面に雌ねじを設けた雌ねじ筐体と外面下部に雄ねじを設けた雄ねじ筐体とからなり、ねじ山のピッチを大きくすると共に、雌ねじ筐体の上端に雨水、土砂の侵入防止用パッキン材を設けたことを特徴とする水道用ねじ式弁筐。
【請求項２】
鋳物製の下部筐体と、プラスチック製の中間筐体と、蓋受枠部を備えた鋳物製のねじ筐体とから成り、ねじ筐体は内面に雌ねじを設けた雌ねじ筐体と外面下部に雄ねじを設けた雄ねじ筐体とからなり、ねじ山のピッチを大きくすると共に、雌ねじ筐体の上端に雨水、土砂の侵入防止用パッキン材を設けると共に、ねじ筐体の中間筐体との継ぎ部を大きくし、且つ前記継ぎ部に中間筐体固定用の楔又はボルトを設けたことを特徴とする水道用ねじ式弁筐。
【請求項３】
前記ねじ筐体の雌ねじ筐体の上部と雄ねじ筐体間に楔を挿入することを特徴とする請求項１又は請求項２記載の水道用ねじ式弁筐。
【発明の詳細な説明】
【技術分野】
【０００１】
本発明は、水道用ねじ式弁筐の改良に関するものである。
【背景技術】
【０００２】
現在一般に使用されている水道用ねじ式弁筐は、上部内面に雌ねじを設けた鋳物製の円筒状の筐体と、前記雌ねじに螺合し、上部に蓋受枠を一体に設けた鋳物製の円筒状の昇降筐体とから構成したもので、これら筐体と昇降筐体とは一体として工場から出荷され、現場に搬送されるものであるため、重量が大きく、設置作業にユンボ等の吊り上げ機具を必要とし、取扱に不便であり、また、本舗装後の嵩上げ嵩下げ時の昇降筐体の回動操作を円滑に行い難いという問題があった。
【０００３】
すなわち、弁筐の長さ（高さ）調整を行った弁筐の埋設状態は、筐体から上昇した昇降筐体に土圧が加わっているため、そのままでは昇降筐体を嵩上げ又は嵩下げのために回動しようとしても摩擦抵抗が大きく、円滑に回動できず下部筐体から上昇した上部筐体の周囲の土砂を除去しなければ回動動作を円滑に行い難かった。
【先行技術文献】
【特許文献】
【０００４】
【非特許文献１】日本水道協会規格  ＪＷＷＡ  水道用ねじ式弁筐  （社）日本水道協会  平成１２年６月８日発行
【発明の概要】
【発明が解決しようとする課題】
【０００５】
そこで、  本発明は、工事現場での弁筐の長さ（高さ）調整を楽に行うことができると共に、蓋受枠上面のＧＬとの位置合わせ並びに設置後の嵩上げ、嵩下げ工事を現行のねじ式弁筐より遙かに迅速且つ楽に行うことができる水道用ねじ式弁筐を提供することができ、しかもユンボ等の吊り上げ機具を用いずに搬送及び設置作業を楽に行うことができる水道用ねじ式弁筐を提供することを課題とするものである。
【課題を解決するための手段】
【０００６】
本発明は、上記の課題を解決するためになされたもので、請求項１記載の発明は、鋳物製の下部筐体と、プラスチック製の中間筐体と、蓋受枠部を備えた鋳物製のねじ筐体とから成り、ねじ筐体は内面に雌ねじを設けた雌ねじ筐体と外面下部に雄ねじを設けた雄ねじ筐体とからなり、ねじ山のピッチを大きくすると共に、雌ねじ筐体の上端に雨水、土砂の侵入防止用パッキン材を設けたことを特徴とする水道用ねじ式弁筐である。
【０００７】
請求項２記載の発明は、鋳物製の下部筐体と、プラスチック製の中間筐体と、蓋受枠部を備えた鋳物製のねじ筐体とから成り、ねじ筐体は内面に雌ねじを設けた雌ねじ筐体と外面下部に雄ねじを設けた雄ねじ筐体とからなり、ねじ山のピッチを大きくすると共に、雌ねじ筐体の上端に雨水、土砂の侵入防止用パッキン材を設けると共に、ねじ筐体の中間筐体との継ぎ部を大きくし、且つ前記継ぎ部に中間筐体固定用の楔又はボルトを設けたことを特徴とする水道用ねじ式弁筐である。
【０００８】
請求項３記載の発明は、請求項１又は請求項２記載の発明において、前記ねじ筐体の雌ねじ筐体の上部と雄ねじ筐体間に楔を挿入することを特徴とする水道用ねじ式弁筐である。
【０００９】
プラスチック製の中間筐体の材料としては硬質塩化ビニール管が好ましい。
【発明の効果】
【００１０】
請求項１記載の発明は、鋳物製の下部筐体と、プラスチック製の中間筐体と、蓋受枠部を備えた鋳物製のねじ筐体の3個の部材より構成され、それらを組み立てる構成としたので、ユンボ等の吊り上げ機具を用いずとも人力のみによる組立設置作業を行うことができる利点がある。また、中間筐体を例えば硬質塩化ビニール管で構成した場合、硬質塩化ビニール管は、カッターで簡単に切断することができるので、現場の状況に合致した長さの弁筐を簡単かつ容易に構成することができる。従って、長さの異なる専用の中間筐体を多数用意しておく必要がないので、在庫管理上有益である。また、硬質塩化ビニール管は中間筐体を鋳物製又は鋼管製とした場合よりも軽量であるから、設置作業の能率を向上させる効果がある。また、ねじ筐体のねじ山のピッチを大きくしたので、弁筐の高さの微調整を迅速に行うことができ、従って、弁筐の設置作業効率を従来のねじ式弁筐より遙かに向上させる効果がある。
【００１１】
請求項２記載の発明は、請求項1記載の発明の効果が得られるばかりでなく、ねじ筐体の中間筐体との継ぎ部を大きくしたので、中間筐体の上端をＧＬの勾配に倣って切断してねじ筐体と接続し、楔又はボルトで固定することにより、勾配を持つ道路用の弁筐として迅速に対応することができる利点がある。
【００１２】
請求項３記載の発明によると、振動を強く受ける現場に弁筐を設置しても、ねじ筐体のねじ山のピッチを大きくしたことに基因する雄ねじ筐体の沈下を防止することができる。
【図面の簡単な説明】
【００１３】
【図１】本発明の実施例１の縦断面図である。
【図２】本発明の実施例１の平面図である。
【図３】本発明の実施例１の高さ微調整後の縦断面図である。
【図４】本発明の実施例１において使用される器具の一例を示すもので、（ａ）は雄ねじ筐体の回動工具、（ｂ）はジャッキである。
【図５】本発明の実施例１の縦断面図である。
【図６】本発明の実施例２の平面図である。
【図７】勾配のある道路に設置した場合の実施例２の縦断面図である。
【図８】本発明の実施例３の縦断面図である。
【図９】本発明の実施例３の平面図である。
【実施例１】
【００１４】
図１は、本発明を仕切弁の弁筐に適用した場合の実施例の縦断面図である。図中、１は鋳物製の下部筐体、２は硬質塩化ビニール管から成る中間筐体、３は鋳物製のねじ筐体である。
【００１５】
ねじ筐体３は内面に雌ねじＰを設けた雌ねじ筐体３ａと、外面下部に雄ねじＱを設けた雄ねじ筐体３ｂとからなり、ねじ山のピッチを大きくし、実施例では雌ねじＰのねじ山と、上位の雄ねじＱのねじ山間ｈが略３ｃｍとなっている。
【００１６】
そして、雄ねじ筐体３ｂの上部には蓋受枠部４が形成され、内側に両側を切欠して、回動係合部５，５を設けた鍔状のジャッキ係合部６，６が設けられている。なお、図中、７は雌ねじ筐体３ａの上端に嵌合したパッキン材、８は蓋（図示せず）の繋留索止めで、パッキン材７はゴムまたはプラスチック製弾性材であって、雌ねじ筐体３ａと雄ねじ筐体３ｂの隙間から土砂や雨水の侵入を防止するものである。
【００１７】
中間筐体２の下部は、下部筐体１の上部に突設された突部１ａの外側に嵌合し、上部は雌ねじ筐体３ａの下部に設けた接続部３ａ’内に嵌合する。
【００１８】
次に、実施例１に示したねじ式弁筐の現場における設置手順について説明する。まず、下部筐体１を設置し、次に予め用意した長めの硬質塩化ビニール管から成る中間筐体２を現場で適切な長さに截断した後、下端を下部筐体１の突部１ａに嵌合させ、必要に応じてボルト（図示せず）で固定し、次いで中間筐体２の周囲を埋め戻し、転圧した後、ねじ筐体３を中間筐体２に接続する。
【００１９】
蓋受枠５の上面がＧＬと一致していない場合は、図４（ａ）に例示した回動工具９の引掛部９ａの両端を雌ねじ筐体３ａの回動係合部５，５に係合させて、雌ねじ筐体３ａを回動して微調整し、図３に示すように蓋受枠部４の上面をＧＬと一致させる。この作業終了後、ねじ筐体３ａの周囲を埋め戻し、転圧後にアスファルト舗装を施し、弁筐の設置工事を完了する。
【００２０】
この設置工事の手順は、以上説明した手順に限定されるものではなく、例えば、予め、下部筐体１に中間筐体２を取付けたものを最初に設置するようにしてもよい。また、この実施例では、中間筐体２として長目の硬質塩化ビニール管を現場で適切な長さに切断する方法を採用したが、所定長さの中間筐体２を使用するようにしてもよいことは勿論である。
【００２１】
以上、本発明の利点であるユンボ等の吊り上げ機具を用いずに人力のみにより設置する場合の手順について説明したが、従来のねじ式弁筐と同様、一体に組立てた弁筐をユンボ等の吊り上げ機具を用いて設置するようにしてもよい。
【００２２】
なお、実施例１に示す弁筐は、雄ねじ筐体３ｂの上部に土圧が加わっているので、通常雄ねじ筐体３ｂが沈下することはないが、螺合するねじ山のピッチを大きく構成しているため、振動の激しい場所に設置した場合には、ねじが緩み沈下する心配がある。その場合、図３に示すように、楔１０を雌ねじ筐体３ａと雄ねじ筐体３ｂ間に打ち込んでおくことにより問題を解決することができる。
【００２３】
また、雄ねじ筐体３ｂの上部に土圧が加わって、保持されている場合、嵩上げ嵩下げのため回動工具９によって手作業で雄ねじ筐体３ｂを回動させることは困難である。その場合は、例えば、図４（ｂ）に示したジャッキ１１を用い、その引掛部１１ａの両端を蓋受枠部４のジャッキ係合部６，６に係合させて、ｈ（実施例では約３ｃｍ）だけ雄ねじ筐体３ｂを引き上げて、土圧との縁を切るようにする。かくすれば、嵩上げ嵩下げのための雄ねじ筐体３ｂの回動が可能となり、高さ調整後ランマー等で突き固めるようにすればよい。
【実施例２】
【００２４】
実施例２はＧＬに勾配がある場合にも用いることができる弁筐の実施例で、図５はその縦断面図、図６は同平面図、図７は施工状態の縦断面図である。
【００２５】
実施例２は、鋳物製下部筐体１と、硬質塩化ビニール管を用いた中間筐体２と鋳物製のねじ筐体３とで構成した点は実施例１と同じであるが、ねじ筐体３の接続部３ａ’を大きく、懐を大きくし、且つ楔挿入孔１２を設け、この楔挿入孔１２に楔１３を打ち込んで、中間筐体２の上部を固定するように構成した点が相違する。
【００２６】
実施例２の弁筐は、以上のように構成されるので、図７に示すように、ＧＬに勾配がある場所に設置する場合、中間筐体２の上端をＧＬの勾配に倣って截断し、接続部３ａ’に係合させて、楔１３を楔挿入孔１２に打ち込んで固定することによりＧＬに勾配がある場合の弁筐を提供することができ、使い勝手が良く、便利な弁筐である。
【実施例３】
【００２７】
実施例３は、実施例２と同様に、ＧＬに勾配がある場合にも用いることができる弁筐の異なる実施例で、図８はその縦断面図、図９は同平面図である。この実施例３の要部構成は実施例２と殆ど同じであるが、中間筐体２とねじ筐体３を固定する手段として楔１３ではなくボルト１４で行うようにした点が相違する。使い勝手及び便利さは実施例２と同様である。
【００２８】
本発明は、以上の実施例による説明より明らかなように、人力のみにより設置作業を行うことができ、しかも所要高さの弁筐を従来のねじ式弁筐よりも簡単かつ容易に提供すると共に、調整及び補修工事を迅速に行うことができ、使い勝手が良く、その実用的価値は大である。
【００２９】
即ち、従来のねじ式弁筐は、設置後上部筐体の雄ねじ部に土圧が加わっているため、嵩上げ、嵩下げを行う場合には、上部筐体の回動操作を容易にするため、雄ねじ部の周囲の土砂を取り除かなければならなかったが、本発明に係るねじ式弁筐は、雄ねじ筐体３ｂの上部にはねじ山がなく、しかもｈだけ上方に移動可能の構造のため、ジャッキ１１を用いて上方にスライドさせて土圧との縁を切るようにすることにより、雄ねじ筐体３ｂの回動が可能となるので簡単かつ楽に嵩上げ嵩下げを行うことができる。また、請求項2記載の発明によれば、ＧＬに勾配がある場所に用いる弁筐としても適応しうるものを提供することができる。
【符号の説明】
【００３０】
１            下部筐体
１ａ          突部
２            中間筐体
３            ねじ筐体
３ａ          雌ねじ筐体
３ｂ          雄ねじ筐体
４            蓋受枠部
５            回動係合部
６            ジャッキ係合部
７            パッキン材
８            繋留索止め
９            回動工具
９ａ          引掛部
１０，１３    楔
１１          ジャッキ
１１ａ        引掛部
１２          楔挿入孔
１４          ボルト
【図１】
2019002171.tif 000003
【図２】
2019002171.tif 000004
【図３】
2019002171.tif 000005
【図４】
2019002171.tif 000006
【図５】
2019002171.tif 000007
【図６】
2019002171.tif 000008
【図７】
2019002171.tif 000009
【図８】
2019002171.tif 000010
【図９】
2019002171.tif 000011